(57)【要約】【課題】施工性に優れ、小型化を図ることのできるリモコンリレーを提供する。【解決手段】ケース２と、ケース２に設けられ、電源に接続される電源接続線６を挿入する電源接続線挿入孔２ａと、電源接続線６が電気的に接続される電源端子部４１とを備えた電源接続部４と、ケース２に設けられ、負荷に接続される負荷接続線７を挿入する負荷接続線挿入孔２ｂと、負荷接続線７が電気的に接続される負荷端子部５１とを備えた負荷接続部５とを有し、電源端子部４１にはピラー端子が用いられ、負荷端子部５１には速結端子が用いられていることを特徴とするリモコンリレー。【選択図】  図１
2006031968.tif 000002
【特許請求の範囲】
【請求項１】
ケースと、前記ケースに設けられ、電源に接続される電源接続線を挿入する電源接続線挿入孔と、前記電源接続線が電気的に接続される電源端子部とを備えた電源接続部と、
前記ケースに設けられ、負荷に接続される負荷接続線を挿入する負荷接続線挿入孔と、前記負荷接続線が電気的に接続される負荷端子部とを備えた負荷接続部とを有し、
前記電源端子部にはピラー端子が用いられ、
前記負荷端子部には速結端子が用いられていることを特徴とするリモコンリレー。
【請求項２】
前記電源接続線挿入孔から延設される電源接続線挿入路が前記ケース内部に設けられ、
前記負荷接続線挿入孔から延設される負荷接続線挿入路が前記ケース内部に設けられており、
前記電源接続線挿入路と前記負荷接続線挿入路とが前記ケース内部に延びるに従って、互いに近づくように設けられていることを特徴とする請求項１記載のリモコンリレー。
【請求項３】
前記電源接続線挿入路における前記電源端子部と前記電源接続線挿入孔との間、および前記負荷接続線挿入路における前記負荷端子部と前記負荷接続線挿入孔との間は、絶縁部位となっており、
前記電源接続部における前記電源接続線のストリップ部分が挿入される最大長さと、前記負荷接続部における前記負荷接続線のストリップ部分が挿入される最大長さとが、
前記電源接続線挿入路における最奥端から、前記電源端子部の最前端までの長さと、前記負荷接続線挿入路における最奥端から、前記負荷端子部の最前端までの長さとの両長さよりも長く、
前記電源接続線挿入路における最奥端から、前記電源接続線挿入孔までの長さと、前記負接続線挿入路における最奥端から、前記負荷接続線挿入孔までの長さとの両長さよりも短いことを特徴とする請求項１または２記載のリモコンリレー。
【発明の詳細な説明】
【技術分野】
【０００１】
本発明はリモコンリレーに関するものである。
【背景技術】
【０００２】
従来のリモコンリレーとしては図６に例示したようなものが知られている。図６は従来のリモコンリレーの側面における断面図である。
【０００３】
図６によると、電源端子部１１と負荷端子部１２とを備えたリモコンリレー２０であって、電源端子部１１および負荷端子部１２はリモコンリレー２０本体の一短辺側に設けられており、電源端子部１１と隣り合って負荷端子部１２が位置している。電源端子部１１には電源接続線が繋げられ、負荷端子部１２には負荷に接続される負荷接続線が繋げられる。この電源端子部１１および負荷端子部１２はねじ端子となっている。
【０００４】
ここで、実際の配線時においては、電源接続線は配線処理（例えば配線の整列や、配線同士の結束等）をよくするために、より線が用いられており、接続施工時には該より線に圧着端子をかしめ接続した後、電源端子部１１のねじ端子にねじ締めされる。
【０００５】
一方、負荷接続線としては、ＶＶＦ線が主に用いられており、リモコンリレー２０に用いられるのは２０Ａ程度の低定格であることから単線が配線されることが多い。接続施工時には、負荷端子部１２のねじ端子に該単線を輪状にしてねじ締めされる。
【０００６】
しかし、このようにねじ端子を用いると、ねじ締めの作業が必要となってくることは勿論のこと、電源接続線に関しては圧着端子を接続後、ねじ締めするといった２つの工程が必要となる。また、該圧着端子が入り込むスペースをねじ端子に設けなければならない。
【０００７】
上記のような課題を解決するために、図７に示す特許文献１のようなものが知られている。すなわち、電源端子部１３および負荷端子部１４に、ばね機構によって接続するタイプの速結端子を用いたものである。
【特許文献１】特開２０００−１１８３２号公報
【発明の開示】
【発明が解決しようとする課題】
【０００８】
しかしながら、特許文献１のものには以下のような課題がある。
【０００９】
リモコンリレーにおいては電源接続線は主により線が用いられる。しかし、通常、速結端子は単線専用であり、より線を使用する場合は、棒圧着端子と呼ばれる端子を別途接続する必要があり手間がかかる。
【００１０】
また、リモコンリレーを分電盤等に使用する時、複数の電源接続線を一つの電源端子部に接続することがあるが、速結端子に接続する場合、一つの速結端子に一つの電線を接続するしかなく、速結端子を複数個設けなければならなくなり、リモコンリレー全体の幅が大きくなってしまう。本発明は上記課題に鑑みてなしたもので、その目的は施工性に優れ、小型化を図ることのできるリモコンリレーを提供することにある。
【課題を解決するための手段】
【００１１】
請求項１に係る発明のリモコンリレーは、ケースと、前記ケースに設けられ、電源に接続される電源接続線を挿入する電源接続線挿入孔と、前記電源接続線が電気的に接続される電源端子部とを備えた電源接続部と、前記ケースに設けられ、負荷に接続される負荷接続線を挿入する負荷接続線挿入孔と、前記負荷接続線が電気的に接続される負荷端子部とを備えた負荷接続部とを有し、前記電源端子部には、ねじの底面によって押さえつけて前記電源接続線を電気的に接続させるピラー端子（ソルダレス端子または袋端子ともいう）が用いられ、前記負荷端子部には、ばねの弾性力によって前記負荷接続線を電気的に接続させる速結端子が用いられていることを特徴とする。
【００１２】
請求項２に係る発明のリモコンリレーは、請求項１記載のリモコンリレーにおいて、前記電源接続線挿入孔から延設される電源接続線挿入路が前記ケース内部に設けられ、前記負荷接続線挿入孔から延設される負荷接続線挿入路が前記ケース内部に設けられ、前記電源接続線挿入路と前記負荷接続線挿入路とが前記ケース内部に延びるに従って、互いに近づくように設けられていることを特徴とする。
【００１３】
請求項３に係る発明のリモコンリレーは、請求項１または２記載のリモコンリレーにおいて、前記電源接続線挿入路における前記電源端子部と前記電源接続線挿入孔との間、および記負荷接続線挿入路における前記負荷端子部と前記負荷接続線挿入孔との間は、絶縁可能となっており、前記電源接続部における前記電源接続線のストリップ部分が挿入される最大長さと、前記負荷接続部における前記負荷接続線のストリップ部分が挿入される最大長さとが、前記電源接続線挿入路における最奥端から、前記電源端子部の最前端までの長さと、前記負荷接続線挿入路における最奥端から、前記負荷端子部の最前端までの長さとの両長さよりも長く、前記電源接続線挿入路における最奥端から、前記電源接続線挿入孔までの長さと、前記負接続線挿入路における最奥端から、前記負荷接続線挿入孔までの長さとの両長さよりも短いことを特徴とする。
【発明の効果】
【００１４】
請求項１に係る発明のリモコンリレーによれば、負荷接続線には単線が主に用いられているが、負荷接続部の負荷端子部に速結端子を用いることにより簡易に負荷接続線を接続することができる。一方、電源接続線には、より線が主に用いられており、電源接続部の電源端子部にピラー端子を用いることにより、圧着端子等を必要とせずに簡易に電源接続線を接続することができる。また、一つの電源端子に複数の線を接続する場合に、複数の端子部材を必要としない。このため、複数の線を接続する場合にも、リモコンリレーの幅方向が大きくなることがなく、小型化が可能である。このように、それぞれの端子に適した接続方法を取ることにより、施工の手間を省くことができる。
【００１５】
請求項２に係る発明のリモコンリレーによれば、電源端子部と負荷端子部とが接近して設けられることになるため、リモコンリレーの高さ方向および長さ方向において、全体として小型に設計することができる。また、電源接続線挿入路と負荷接続線挿入路とが角度を有して設けられていることにより、例えば電源接続線が接続されており、後から負荷接続線を挿入したい場合に、電源接続線が邪魔になって負荷接続線が取り付け難いといったことがなく、施工性に優れる。
【００１６】
請求項３に係る発明のリモコンリレーによれば、電源接続線および負荷接続線のストリップ長を等しく設けることができ、施工時の間違いを防ぐことができる。
【発明を実施するための最良の形態】
【００１７】
以下、本発明を実施形態に基づいて説明する。本発明のリモコンリレー１において、図１は側面における断面図、図２は分解図、図３は電源接続線６の接続状態における端子部の断面図であり、図４および図５は本発明のリモコンリレーの他の実施形態の側面における断面図である。また、リモコンリレー１における前側とは電源接続線６または負荷接続線７が挿入される側のことをいい、奥側とは前側を基準とした時に、リモコンリレー１の長手方向に向かっていく側のことをいう。
【００１８】
（実施形態１）
図１に例示したように、分電盤等に用いられるリモコンリレー１において、ケース２の中に、リレー機器類が配設されている。リモコンリレー１全体としては、図３に例示したように、リモコンリレー１の短辺方向における中心部分で、仕切り板３を介して２区画に分けられている。この２区画が合わさって一つのリモコンリレー１として成り立っている。
【００１９】
ここで、リモコンリレー１の内部構造について図１および図２に基づいて説明する。まずリモコンリレー１には外部との信号のやりとりを行う接続部が設けられている。接続部は電源に接続される電源接続部４と、外部の負荷に信号が送信される負荷接続部５との２つに分かれている。電源接続部４にはケース２外面に設けられた電源接続線６が挿入される電源接続線挿入孔２ａと、該電源接続線挿入孔２ａからケース２内部に向かって延設される電源接続線挿入路２ｅと、電源接続線６が電気的に接続される電源端子部４１とが設けられている。負荷接続部５にはケース２外面に設けられた負荷接続線７が挿入される負荷接続線挿入孔２ｂと、該負荷接続線挿入孔２ｂからケース２内部に向かって延設される負荷接続線挿入路２ｃと、負荷接続線７が電気的に接続される負荷端子部５１とが設けられている。
【００２０】
電源端子部４１は電源端子板４ａと電源端子枠４ｂとねじ４ｃとから構成されている。つまり、ピラー端子となっている。電源端子板４ａはケース２内部に折り曲げられて配設され、接触子８と接触できるようになっている。接触子８は有極電磁石９により動くことができ、電源端子板４ａと接離動作することにより、リレーとして機能する。電源端子板４ａにおける接触子８との接点には、固定接点部４ｄが設けられ、接触子８における電源端子板４ａとの接点には、可動接点部８ａが設けられている。
【００２１】
負荷端子部５１は負荷端子板５ａと錠ばね５ｂと解錠レバー５ｃと復帰ばね５ｄとから構成されている。つまり、速結端子となっている。負荷端子板５ａには編組線５ｅが溶接されており、編組線５ｅの他方は接触子８に溶接されている。
【００２２】
接触子８は可動枠１０に接続されており、有極電磁石９の磁力により可動枠１０が稼動して、それに連動して接触子８が動くことになる。
【００２３】
次に本発明の特徴である、電線接続部分に関して図１、図２および図３に基づいて説明する。
【００２４】
図１に例示したように、電源接続部４内の電源端子部４１における電源端子板４ａは、ケース２の設けられた支持部４ｅにより固定されている。電源端子枠４ｂはケース２内の電源端子部４１に設けられた溝部４ｆに、移動可能に配置されている。電源端子枠４ｂは図２のような筒状のものであり、ねじ４ｃが挿入されるためのねじ穴４ｇが空けられている。
【００２５】
電源接続線６を電源端子部４１に接続する方法としては、図２に例示したように、まず溝部４ｆに電源端子枠４ｂを挿入し、次いで、ケース２に空けられた電源接続線挿入孔２ａから電源接続線６をケース２内部に挿入し、筒状の電源端子枠４ｂの空洞部分に電源接続線６を挿入し、電源端子枠４ｂのねじ穴４ｇからねじ４ｃを通して、電源接続線６をねじ４ｃで押さえつけて接続するといったものである。これがいわゆるピラー端子による電源接続線６の接続方法である。ねじ４ｃを締め付けることにより、電源端子板４ａと電源接続線６とが電気的に安定して接続される。ねじ４ｃの頭は、負荷接続部５が邪魔になって、留め付け難くないような場所に設けられるのがよい。このようなピラー端子では、電源接続線６がより線であったとしても、確実に締め付けを行うことができる（図３（ｂ））。また、図３（ｃ）に例示したように、より線の電源接続線６を複数本接続した時も、電源端子枠４ｂ内で複数本の電源接続線６が並んだ状態で接続されるため、安定した接続が可能になる。
【００２６】
図２に例示したように、負荷端子部５１には負荷端子板５ａに錠ばね５ｂが組み込まれ、錠ばね５ｂを押し下げるための解錠レバー５ｃが設けられている。錠ばね５ｂとしては金属材料であって、図２にあるように、金属板の一端が折り曲げられ、他端が先の一端と同じ方向で内向きに鋭角に折り曲げられ、さらに先端が外向きに折り曲げられたものである。しかし、この錠ばね５ｂの形状の如何は問わない。
【００２７】
負荷接続線７を負荷端子部５１に接続する方法を図１に基づいて説明する。負荷接続線７はケース２に空けられた負荷接続線挿入孔２ｂから負荷端子部５１に挿入されると、錠ばね５ｂの折曲部を錠ばね５ｂの弾性力に逆らってケース２に固定された解錠レバー５ｃを押し下げながら負荷端子部５１の奥側まで挿入される。このようにして、負荷接続線挿入路２ｃに挿入されている負荷接続線が錠ばね５ｂの弾性力により、負荷端子板５ａに当接されて電気的に接続される。この時、接続が完了したことを示す接続完了表示部が（図示せず）、解錠レバー５ｃの解除と共に現れてくるとよい。
【００２８】
負荷接続線７を負荷端子部５１から取り外す時には、解錠レバー５ｃを押し下げて錠ばね５ｂを押し下げることにより、負荷接続線７を引き抜くことが可能になる。このような速結端子では、ねじ締めが不要であり、負荷接続線７の挿入のみで容易に接続されると共に、ねじを設置するスペースが不要となる。以上のように、電源端子部４１および負荷端子部５１に接続される電源接続線６および負荷接続線７の特徴を考慮して両端子部の構造を決めることで、施工の無駄を省き、リモコンリレー１の小型化ができるようになる。
【００２９】
（実施形態２）
実施形態１のように、電源端子部４１にピラー端子が用いられ、負荷端子部５１に速結端子が用いられたものにおいて、図４に例示したように、電源接続線挿入孔２ａから延設された電源接続線挿入路２ｅと、負荷接続線挿入孔２ｂから延設された負荷接続線挿入路２ｃとがケース２内部に延びるに従って互いに近づくように設けられているものである。電源端子部４１と負荷端子部５１との位置関係は、図４におけるリモコンリレー１のように、実際に設置した時に、電源端子部４１がリモコンリレー１において床面に対して略下方に、負荷端子部５１が略上方にあるようにするとよい。つまり、電源接続線挿入路２ｅはリモコンリレー１本体の下方から上方に向かって上り勾配が付けられており、負荷接続線挿入路２ｃはリモコンリレー１本体の上方から下方に向かって下り勾配が付けられている。相対的に電源端子部４１と負荷端子部５１とを近づけるように配置することにより、リモコンリレー１の幅方向または長さ方向の長さが抑えられるのである。本実施形態では電源接続線挿入路２ｅの上方に負荷接続線挿入路２ｃが設けられていたが、リモコンリレー１の使用状況等によって電源端子部４１と負荷端子部５１の上下関係の如何は問わない。
【００３０】
（実施形態３）
実施形態１のように、電源端子部４１にピラー端子が用いられ、負荷端子部５１に速結端子が用いられたものにおいて、図５に例示したように電源端子部４１には電源接続線６の電源接続線ストリップ部６ａが挿入され、接続される。また、負荷端子部５１には負荷接続線７の負荷接続線ストリップ部７ａが挿入され接続される。この時、電源接続線６および負荷接続線７は、電源端子板４ａおよび負荷端子板５ａに突き当たるまで挿入されることになる。さもないと、接触不良により発熱等が起きる可能性があるためである。また、電源接続線挿入路２ｅにおける電源端子部４１と電源接続線挿入孔２ａとの間と、負荷接続線挿入路２ｃにおける負荷端子部５１と負荷接続線挿入孔２ｂとの間は、絶縁体が設けられていることにより絶縁可能になっている。
【００３１】
本実施形態では、図５に例示するように、電源接続部４において電源接続線ストリップ部６ａが挿入される最大長さＣと、負荷接続部５における負荷接続線ストリップ部７ａが挿入される最大長さＥとが、電源接続線挿入路２ｅにおける最奥端から、電源端子部４１の最前端までの長さＡと、負荷接続線挿入路２ｃにおける最奥端から、負荷端子部５１の最前端までの長さＢとの両長さよりも長く、電源接続線挿入路２ｅにおける最奥端から、電源接続線挿入孔２ａまでの長さと、負接続線挿入路２ｃにおける最奥端から、負荷接続線挿入孔２ｂまでの長さとの両長さよりも短く設けられる。
【００３２】
つまり図５において、「（ＡとＢとの長さの長い方）＜（ＣおよびＥ）＜（ＤとＦとの長さの小さい方）」ということになり、ＣとＥとは略同じ長さに設けることができ、よって、電源端子部４１および負荷端子部５１のそれぞれに挿入される電源接続線ストリップ部６ａと負荷接続線ストリップ部７ａとを略同じ長さに設けることができる。
【００３３】
上記の如く、電源端子部４１と電源接続線６との関係、負荷端子部５１と負荷接続線７との関係を考慮すると、施工時のミスがなくなり、接続不良や施工性の悪化を防ぐことができる。
【図面の簡単な説明】
【００３４】
【図１】本実施形態のリモコンリレーの断面図である。
【図２】本実施形態のリモコンリレーの分解図である。
【図３】本実施形態のリモコンリレーの電源接続線を接続した時の端子部の断面図である。
【図４】本実施形態のリモコンリレーの他の実施形態２を示した断面図である。
【図５】本実施形態のリモコンリレーの他の実施形態３を示した断面図である。
【図６】従来のリモコンリレーの断面図である。
【図７】従来のリモコンリレーの断面図である。
【符号の説明】
【００３５】
１．リモコンリレー
２．ケース
２ａ．電源接続線挿入孔
２ｂ．負荷接続線挿入孔
２ｃ．負荷接続線挿入路
２ｅ．電源接続線挿入路
４．電源接続部
４１．電源端子部
５．負荷接続部
５１．負荷端子部
６．電源接続線
６ａ．電源接続線ストリップ部
７．負荷接続線
７ａ．負荷接続線ストリップ部
８．接触子
【図１】
2006031968.tif 000003
【図２】
2006031968.tif 000004
【図３】
2006031968.tif 000005
【図４】
2006031968.tif 000006
【図５】
2006031968.tif 000007
【図６】
2006031968.tif 000008
【図７】
2006031968.tif 000009